(57)【要約】    【課題】  レンズ間隔誤差や偏心誤差が発生することなく、簡便な構造で精度良くアナモフィックレンズを保持できるレンズユニット及びそれを用いた画像読取装置を得ること。    【解決手段】  原稿の画像情報を光電変換素子上に結像し、順次読取りを行う画像読取装置に用いられるレンズユニットであって、該レンズユニットは光軸に対して少なくとも１枚の回転対称な形状の回転対称レンズを保持する鏡筒部１１と、該鏡筒部の一端に外接した少なくとも一面がアナモフィック面であるアナモフィックレンズ１２と、該アナモフィックレンズと該鏡筒部とを勘合させ、それぞれの中心軸を合わせ、かつ同軸を基準に相対回転し得る同軸度維持手段１２ａと、該アナモフィックレンズを該鏡筒部に押し当てる弾性部材１３と、を有していること。【選択図】    図１
2008065233.tif 000002
【特許請求の範囲】
【請求項１】
原稿の画像情報を光電変換素子上に結像し、順次読取りを行う画像読取装置に用いられるレンズユニットであって、
該レンズユニットは光軸に対して少なくとも１枚の回転対称な形状の回転対称レンズを保持する鏡筒部と、該鏡筒部の一端に外接した少なくとも一面がアナモフィック面であるアナモフィックレンズと、該アナモフィックレンズと該鏡筒部とを勘合させ、それぞれの中心軸を合わせ、かつ同軸を基準に相対回転し得る同軸度維持手段と、該アナモフィックレンズを該鏡筒部に押し当てる弾性部材と、を有していることを特徴とするレンズユニット。
【請求項２】
前記弾性部材は、前記鏡筒部の外周に設けられた溝部に引っ掛ける２本又は３本の枝部を有していることを特徴とする請求項１に記載のレンズユニット。
【請求項３】
前記アナモフィックレンズは、外形が矩形形状より成り、該矩形形状の寸法の長い方で中心を通過する軸を長軸、これに直交し、中心を通過する軸を短軸とするとき、
前記２本又は３本の枝部のうち、１本が該長軸の片側にあり、残りが該長軸に対し、該片側の反対側にあることを特徴とする請求項２に記載のレンズユニット。
【請求項４】
前記アナモフィックレンズには、前記長軸の片側２ヶ所に、該長軸との平行度を調整する長軸方向維持手段が設けられていることを特徴とする請求項３に記載のレンズユニット。
【請求項５】
原稿台に載置された原稿と、前記請求項１から４の何れか１項に記載のレンズユニットと、複数の画素を１次元方向に配列した光電変換素子とを有し、該原稿の画像情報を該光電変換素子で読み取ることを特徴とする画像読取装置。
【請求項６】
前記光電変換素子の複数の画素の配列方向と、前記アナモフィックレンズの母線方向とを一致させる手段を有していることを特徴とする請求項５に記載の画像読取装置。
【発明の詳細な説明】
【技術分野】
【０００１】
本発明はレンズユニット及びそれを用いた画像読取装置に関する。特にアナモフィックレンズを有する結像光学系の光学性能を十分に発揮して精度の高い画像読取りが行なえるようにした、例えばイメージスキャナー、複写機、そしてファクシミリ等の装置に好適なものである。
【背景技術】
【０００２】
図７は従来の画像読取装置の構成を示す要部概略図である。
【０００３】
図７において、７２は原稿台（原稿台ガラス）であり、その面上に原稿７１が置かれている。７７はキャリッジであり、後述する照明系７３、反射ミラー７４ａ〜７４ｅ、結像レンズ（レンズユニット）７５、そして読取手段（ＣＣＤ）７６を一体的に収納している。キャリッジ７７はモータなどの副走査機構７８により図中の矢印Ａ方向（副走査方向）へ走査し、原稿７１の画像情報を読取っている。読取られた原稿７１の画像情報は図示しないインターフェイスを通じて外部機器であるパーソナルコンピューターなどに送られる。
【０００４】
７３は照明系であり、キセノン管やハロゲンランプ、ＬＥＤアレイなどである。なお、照明系７３にはアルミ蒸着板などの反射板を組み合わせて用いてもよい。７４ａ〜７４ｅは各々反射ミラーであり、原稿７１からの光束をキャリッジ７７内部で折り曲げている。７５は結像レンズ（レンズユニット）であり、原稿７１からの光を後述する読取手段７６面上に結像している。７６は読取手段としてのＣＣＤ（Charge Coupled Device）（１次元光電変換素子）であり、紙面に対して垂直方向である主走査方向に複数の画素を配列した構成より成っている。
【０００５】
上記構成の画像読取装置において、装置全体の小型化を図るにはキャリッジ７７の小型化が必要である。そしてキャリッジ７７の小型化を図るためには結像レンズ７５を広画角化して物像間距離を縮め、光路長自体を短くすることが最も有効な手段である。
【０００６】
このような方法でキャリッジの小型化を図った画像読取装置は従来より種々と提案されている（特許文献１参照）。
【０００７】
上記の構成の画像読取装置において、結像レンズの広画角化を図るために結像レンズにアナモフィックな面を有するアナモフィックレンズを用いる方法がある。この方法では結像レンズの結像性能は光軸に対して回転非対称になってくる。そのため結像レンズの主走査方向（母線方向）とＣＣＤの複数の画素の配列方向とを規制して合致させることが必要になる。
【０００８】
また、これらの結像レンズの製造過程では、アナモフィックレンズが鏡筒の基準軸から外れて固定されると偏芯誤差が発生する。偏芯誤差は結像性能の劣化を伴うが、回転対称レンズ群を回転調整することで、ＣＣＤ面上での結像性能を良好に維持することはできる。
【０００９】
このような画像読取装置は従来より種々と提案されている（特許文献２参照）。
【００１０】
次に上記の結像レンズを図８、図９を用いてより具体的に説明する。
【００１１】
まず、従来の回転対称レンズのみで構成される結像レンズ１０１を図８に示し説明する。
【００１２】
夫々の回転対称レンズａ、ｂ、ｃ、ｄは設計通りに製造されれば、図中網点部分で示したように結像領域１０５全体で十分な結像性能が発揮される。しかしながら図中の回転対称レンズｃで示したように、一般に結像レンズは製造過程でレンズ偏芯が発生する。レンズ偏芯が発生すると結像面内での結像性能が不均一になってしまう。そのため回転対称形状のレンズのみで構成される結像レンズ１０１では光軸を中心にレンズを回転させる。そして結像領域１０５内で結像性能が高い最良結像領域１０４が１次元光電変換素子１０７の画素の配列方向１０６と重なるように調整（以下、「回転調整」と称す。）する必要がある。
【００１３】
次にアナモフィックレンズを用いて構成される結像レンズ１０１を図９に示し説明する。
【００１４】
図中、円で例示しているのが回転対称形状のレンズ（回転対称レンズ）ａ、ｂ、ｃ、ｄである。四角で例示しているのがアナモフィックレンズ（回転非対称レンズ）ｅである。アナモフィックレンズｅの主走査方向（長軸方向）を四角中の長い破線ｘで示す。アナモフィックレンズｅを用いた結像レンズ１０１は結像領域１０５が、該アナモフィックレンズｅによって決まる偏平領域となる。
【００１５】
１次元光電変換素子１０７は原稿の画像情報を１次元画像として複数の画素を１次元方向（主走査方向）に配列したラインセンサー（ＣＣＤ）より成っている。
【００１６】
アナモフィックレンズｅは、その屈折力の一方向である主走査方向（長軸方向）とＣＣＤの複数の画素の配列方向（主走査方向）とが一致するように位置決めされている。鏡筒(レンズ鏡筒)１０２とアナモフィックレンズｅは光軸Ｌを基準軸とし、互いに回転して組み立てることができる。
【００１７】
回転対称レンズｃで例示したように製造過程でレンズ偏芯が発生した場合、アナモフィックレンズｅを結像領域１０５の中心にＣＣＤの複数の画素の配列方向があるように固定したままで、鏡筒１０２を回転調整機構１０３により回転調整している。さらにレンズ偏芯に起因する最良結像領域１０４がＣＣＤ１０７の複数の画素の配列方向１０６と重なるように調整している。そして調整が完了した後、鏡筒１０２とアナモフィックレンズｅを接着などの手段により一体化している。
【特許文献１】特開２０００−１７１７０５号公報
【特許文献２】特開２００４−０７８１４９号公報
【発明の開示】
【発明が解決しようとする課題】
【００１８】
上記従来の結像レンズによれば回転対称レンズを保持するレンズ鏡筒と、回転非対称レンズを保持するレンズ鏡筒とが回転調整機構（同軸度維持手段）１０３により光軸Ｌを基準に互いに回転調整できるが、光軸方向の位置は規制できていなかった。そのため本来は密着しているべきレンズ鏡筒と回転非対称レンズとの間に隙間ができる場合があった。
【００１９】
次に上記の不具合について図１０を用いて説明する。図１０は従来のレンズユニット(結像レンズ)を示す三面図である。同図において（Ａ）は上面図、（Ｂ）は側面図、（Ｃ）は正面図である。
【００２０】
従来の回転調整機構（同軸度維持手段）は、アナモフィックレンズ２０２とレンズ鏡筒２０１とをそれぞれ一体として形成された嵌合のため、図１０に示すような円周に設けた４本のピン２０２ａより成っている。嵌合部２０３はスムーズな回転調整を行えて、且つ、レンズ面の変形を伴ってはならない。よって強い応力を発生するような構造になることは好ましくない。
【００２１】
そのため回転調整時にはアナモフィックレンズ２０２が図１１に示すように光軸方向に浮き上がってしまう場合があった。尚、図１１はレンズユニットを示す三面図であり、図１０に示した要素と同一要素には同符番を付している。
【００２２】
アナモフィックレンズ２０２がレンズ鏡筒２０１より浮き上がるとアナモフィックレンズ２０２の偏芯による光学性能の劣化はもちろんのこと、レンズ間隔も規定の量を維持できなくなり、光学性能の劣化を発生させてしまう。
【００２３】
さらには、その後の接着作業では、接着剤が大量に隙間部２０４に流入し、固化時の収縮変化によりレンズ面の変形による性能劣化や、新たなレンズ間隔ズレなどが引き起こされてしまっていた。
【００２４】
本発明はレンズ間隔誤差や偏心誤差が発生することなく、簡便な構造で精度良くアナモフィックレンズを保持できるレンズユニット及びそれを用いた画像読取装置の提供を目的とする。
【課題を解決するための手段】
【００２５】
請求項１の発明のレンズユニットは、
原稿の画像情報を光電変換素子上に結像し、順次読取りを行う画像読取装置に用いられるレンズユニットであって、
該レンズユニットは光軸に対して少なくとも１枚の回転対称な形状の回転対称レンズを保持する鏡筒部と、該鏡筒部の一端に外接した少なくとも一面がアナモフィック面であるアナモフィックレンズと、該アナモフィックレンズと該鏡筒部とを勘合させ、それぞれの中心軸を合わせ、かつ同軸を基準に相対回転し得る同軸度維持手段と、該アナモフィックレンズを該鏡筒部に押し当てる弾性部材と、を有していることを特徴としている。
【００２６】
請求項２の発明は請求項１の発明において、
前記弾性部材は、前記鏡筒部の外周に設けられた溝部に引っ掛ける２本又は３本の枝部を有していることを特徴としている。
【００２７】
請求項３の発明は請求項２の発明において、
前記アナモフィックレンズは、外形が矩形形状より成り、該矩形形状の寸法の長い方で中心を通過する軸を長軸、これに直交し、中心を通過する軸を短軸とするとき、
前記２本又は３本の枝部のうち、１本が該長軸の片側にあり、残りが該長軸に対し、該片側の反対側にあることを特徴としている。
【００２８】
請求項４の発明は請求項３の発明において、
前記アナモフィックレンズには、前記長軸の片側２ヶ所に、該長軸との平行度を調整する長軸方向維持手段が設けられていることを特徴としている。
【００２９】
請求項５の発明の画像読取装置は、
原稿台に載置された原稿と、前記請求項１から４の何れか１項に記載のレンズユニットと、複数の画素を１次元方向に配列した光電変換素子とを有し、該原稿の画像情報を該光電変換素子で読み取ることを特徴としている。
【００３０】
請求項６の発明は請求項５の発明において、
前記光電変換素子の複数の画素の配列方向と、前記アナモフィックレンズの母線方向とを一致させる手段を有していることを特徴としている。
【発明の効果】
【００３１】
本発明によれば鏡筒部とアナモフィックレンズを密着した状態で回転調整を行うことによりレンズ間隔誤差や偏心誤差が発生することなく、簡便な構造で精度良くアナモフィックレンズを保持できるレンズユニット及び画像読取装置を達成することができる。
【発明を実施するための最良の形態】
【００３２】
以下、図面を用いて本発明の実施例を説明する。
【実施例１】
【００３３】
図１は本発明の実施例１のレンズユニットを示す三面図である。同図において（Ａ）は上面図、（Ｂ）は側面図、（Ｃ）は正面図である。
【００３４】
図１において、１０はレンズユニット（結像レンズ）であり、原稿の画像情報を光電変換素子上に結像し、順次読取りを行う画像読取装置に用いられる。１１は外周部が筒状の鏡筒部（レンズ鏡筒）であり、光軸Ｌに対して少なくとも１枚の回転対称な形状の回転対称レンズを保持している。
【００３５】
１２は少なくとも一面がアナモフィック面であるアナモフィックレンズであり、鏡筒部１１の一端に外接して保持されている。本実施例におけるアナモフィックレンズ１２は、外形が矩形形状より成っている。矩形形状の寸法のうち、長い方で中心を通過する軸を長軸１２ｃとしている。長軸１２ｃを直交し、中心を通過する軸を短軸１２ｄとしている。
【００３６】
１２ａは同軸度維持手段としてのピンであり、アナモフィックレンズ１２と鏡筒部１１を勘合させ、それぞれの中心軸を合わせ、かつ同軸を基準に互いに回転調整できるように相対回転させている。本実施例ではこのピン１２ａを４本用いている。
【００３７】
１３は弾性部材であり、光軸方向に沿ってアナモフィックレンズ１２を鏡筒部１１に押し当てている。本実施例における弾性部材１３は鏡筒部１１とアナモフィックレンズ１２とをそれぞれ別々に押し当てることができる。
【００３８】
１３ａは弾性部材１３の枝部であり、鏡筒部１１の外周に設けられた溝部１１ａに引っ掛かるようになっている。弾性部材１３は、この枝部１３ａを３本有している。
【００３９】
本実施例ではこの３本の枝部１３ａのうち、１本がアナモフィックレンズ１２の長軸１２ｃの片側にあり、残り２本が該長軸１２ｃに対し、片側の反対側にあり、それぞれ鏡筒部１１の溝部１１ａに引っ掛かるようになっている。
【００４０】
１２ｂは長軸方向維持手段であり、アナモフィックレンズ１２の長軸１２ｃの片側２ヶ所に設けられており、該長軸１２ｃとの平行度を調整している。
【００４１】
本実施例では、長軸方向維持手段１２ｂを用いて後述する画像読取装置において、光電変換素子（ＣＣＤ）の複数の画素の配列方向と、アナモフィックレンズ１２の母線方向(主走査方向)とを一致させている。
【００４２】
Ｌは結像光学系の光軸である。
【００４３】
本実施例では上記の如く弾性部材１３によりアナモフィックレンズ１２を光軸Ｌ方向に規制しており、鏡筒部１１とアナモフィックレンズ１２との間に隙間が生じないように密着させている。
【００４４】
つまり本実施例では弾性部材１３の３本の枝部１３ａを鏡筒部１１の外周に設けた溝部１１ａに引っ掛けることにより、アナモフィックレンズ１２と鏡筒部１１との間に隙間ができないように規制している。
【００４５】
これにより本実施例では鏡筒部１１とアナモフィックレンズ１２を密着した状態で回転調整を行うことができるため、レンズ間隔誤差や偏心誤差が発生することなく、簡便な構造で精度良くアナモフィックレンズを保持することができる。
【００４６】
本実施例における弾性部材１３の材質は何でも良いが、例えば金属の薄板をプレス加工すれば簡単に製作できる。薄板は弾性力が板厚を変更することで容易に変化する。よってアナモフィックレンズ１２にかかる力を適正化し、レンズ面の変形を防止できる。
【００４７】
アナモフィックレンズ１２を鏡筒部１１に固定する際、傾き誤差はレンズの長さに反比例して悪化する。そのためアナモフィックレンズ１２の短軸方向１２ｄは精度よく固定する必要がある。
【００４８】
本実施例においてはアナモフィックレンズ１２の短軸方向１２ｄの両側（長軸１２ｃを挟んで両側）には枝部１３ａが設けられており、これによって鏡筒部１１とアナモフィックレンズ１２とを精度良く固定することにより、双方にかかる応力を安定させている。またこれにより鏡筒部１１とアナモフィックレンズ１２を密着した状態で回転調整を行うことで、レンズ間隔誤差や偏心誤差の発生を防止することができる。
【００４９】
上記の手段は鏡筒部１１にアナモフィックレンズ１２を固定する際、特に有効である。
【００５０】
このように本実施例では上記の如く弾性部材１３によりアナモフィックレンズ１２を鏡筒部１１に押し当てることにより、該鏡筒部１１に対してアナモフィックレンズ１２を密着した状態で回転調整されるのでレンズ間隔誤差や偏心誤差の発生を抑制できる。
【００５１】
また上記の如く鏡筒部１１とアナモフィックレンズ１２と別体となっている弾性部材１３を用いることで、発生する応力を容易に設定することができる。これによりアナモレンズ面の変形を最小限に抑えることもできる。
【００５２】
また本実施例では上述した如く鏡筒部１１の外周に設けられた溝部１１ａに３本(後述する実施例２,３では２本)の枝部１３ａを引っ掛けるように弾性部材１３を構成している。これにより弾性部材１３を簡易に構成することができる。
【００５３】
ここで枝部１３ａが１本の場合、アナモフィックレンズ１２にかかる応力が安定せず、偏芯の原因になる。枝部１３ａが４本以上では構造の複雑化により枝部の長さにバラツキが発生しやすく、さらにバラツキによってアナモフィックレンズ１２にかかる応力も安定せず、やはり偏芯の原因になる。
【００５４】
また本実施例では上記の如くアナモフィックレンズ１２の長軸１２ｃの片側２ヶ所に該長軸１２ｃとの平行度を調整する長軸方向維持手段１２ｂを設けることにより、アナモフィックレンズ１２の母線方向と光電変換素子の複数の画素の配列方向とを簡易な構成で揃えることができる。
【００５５】
尚、本実施例においてはアナモフィック面を有していないレンズであっても、外径が回転非対称形状の所謂偏平レンズであれば前述した構成を適用することができる。
［画像読取装置］
図２は図１に示したレンズユニット１０を画像読取装置に搭載したときの要部概略図である。同図において図１に示した要素と同一要素には同符番を付している。
【００５６】
図２において弾性部材１３の３本の枝部１３ａは長軸１２ｃを挟んで、片側に１本、反対側に２本有している。よって図２に示すようなＶ字形状のレンズ固定部１５に枝部１３ａを１本下向きとして固定しても弾性部材１３がレンズ固定部１５と干渉することなく良好に保持できる。
【００５７】
本実施例における画像読取装置には位置合わせ手段１４がレンズユニット１０の図面上、左右方向２ヶ所に設けられている。この位置合わせ手段１４がアナモフィックレンズ１２の長軸１２ｃの片側２ヶ所に設けた長軸方向維持手段１２ｂと接触することで、１次元光電変換素子（不図示）の複数の画素の配列方向とアナモフィックレンズ１２の長軸方向（母線方向）１２ｃとを一致させることができる。これにより本実施例では鮮明なる画像情報を得ることができる。
【００５８】
１次元光電変換素子（ＣＣＤ）を用いた画像読取装置においては、レンズの画角が同素子の配列方向に大きく影響する。そのため各レンズ面の光線の通過領域は、同素子の配列方向に長く、直交方向に短い矩形形状と成っている。アナモフィックレンズであっても同じで光線有効部は矩形形状になる。アナモフィックレンズは特別の非球面加工を伴うので、必要以上に加工面を広げることは製造的に好ましくなく、レンズ自体が長軸方向に長い矩形形状になる。
【００５９】
このアナモフィックレンズ１２を鏡筒部１１に固定する際、上述した如く該アナモフィックレンズ１２の短軸方向１２ｄの両側（長軸を挟んで両側）を枝部１３ａにより固定することにより応力を安定させることができる。
【００６０】
仮に短軸１２ｄを挟んで両側に設けた場合、枝部１３ａは長軸端より外側に設置しなくはならないので、レンズ全体が大きくなるが、本実施例によればそのような不具合も回避できる。
【００６１】
さらにレンズ固定部１５がＶ溝形状である画像読取装置への固定時に弾性部材１３がＶ溝と干渉することなく、特別の構造を不要とできる。
【実施例２】
【００６２】
図３は本発明の実施例２のレンズユニットを示す三面図である。同図において図１に示した要素と同一要素には同符番を付している。
【００６３】
本実施例において前述の実施例１と異なる点は、弾性部材２３の枝部２３ａの数を２本としたことである。その他の構成及び光学的作用は実施例１と同様であり、これにより同様な効果を得ている。
【００６４】
同図において、２３は弾性部材であり、光軸方向に沿ってアナモフィックレンズ１２を鏡筒部１１に押し当てている。２３ａは弾性部材２３の枝部であり、鏡筒部１１の外周に設けられた溝部１１ａに引っ掛かるようなっている。弾性部材２３は、この枝部２３ａを２本有している。
【００６５】
本実施例ではこの２本の枝部２３ａのうち、１本が長軸１２ｃの片側にあり、残りが該長軸１２ｃに対し、片側の反対側にあり、それぞれ鏡筒部１１の溝部１１ａに引っ掛かるようになっている。
【００６６】
本実施例では前述した実施例1と同様に弾性部材２３によりアナモフィックレンズ１２を鏡筒部１１に押し当てることにより、該鏡筒部１１に対してアナモフィックレンズ１２を密着した状態で回転調整されるのでレンズ間隔誤差や偏心誤差の発生を抑制できる。
【００６７】
また本実施例においても鏡筒部１１とアナモフィックレンズ１２と別体となっている弾性部材２３を用いることで、発生する応力を容易に設定することができる。これによりアナモレンズ面の変形を最小限に抑えることもできる。
【００６８】
またアナモフィックレンズ１２を鏡筒部１１に固定する際、前述した実施例1と同様に短軸方向１２ｄの両側（長軸を挟んで両側）に設けた枝部２３ａを用いている。これにより鏡筒部１１とアナモフィックレンズ１２とを精度良く固定することにより応力を安定させている。またこれにより鏡筒部１１とアナモフィックレンズ１２を密着した状態で回転調整を行うことで、レンズ間隔誤差や偏心誤差の発生を防止することができる。
【００６９】
本実施例においても前述の実施例１と同様にレンズユニット１０を画像読取装置に搭載した場合には鮮明なる画像情報を得ることができる。
【実施例３】
【００７０】
図４は本発明の実施例３の結像レンズを示す三面図である。同図において図１に示した要素と同一要素には同符番を付している。
【００７１】
本実施例において前述の実施例２と異なる点は、同軸度維持手段としてのピン３２ａを３本用いたことである。その他の構成及び光学的作用は実施例２と同様であり、これにより同様な効果を得ている。
【００７２】
同図において、３２ａは同軸度維持手段としてのピンであり、アナモフィックレンズ１２と鏡筒部１１を勘合させ、それぞれの中心軸を合わせ、かつ同軸を基準に互いに回転調整できるように相対回転させている。本実施例ではこのピン１２ａを３本用いている。
【００７３】
３３は弾性部材であり、光軸方向に沿ってアナモフィックレンズ１２を鏡筒部１１に押し当てている。３３ａは弾性部材３３の枝部であり、鏡筒部１１の外周に設けられた溝部１１ａに引っ掛かるようなっている。弾性部材３３は、この枝部２３ａを２本有している。
【００７４】
本実施例ではこの２本の枝部３３ａのうち、１本が長軸の片側にあり、残りが該長軸１２ｃに対して片側の反対側にあり、それぞれ鏡筒部１１の溝部１１ａに引っ掛かるようになっている。
【００７５】
尚、本実施例において弾性部材３３の材質は何でも良いが、例えば合成樹脂の射出成型品とすれば簡単に製作できる。合成樹脂は種類を変更することで、弾性力が容易に変化する。よって、アナモフィックレンズ１２にかかる力を適正化し、レンズ面の変形を防止することができる。
【００７６】
本実施例では前述した実施例２と同様に弾性部材３３によりアナモフィックレンズ１２を鏡筒部１１に押し当てることにより、該鏡筒部１１に対してアナモフィックレンズ１２を密着した状態で回転調整されるのでレンズ間隔誤差や偏心誤差の発生を抑制できる。
【００７７】
また本実施例においても鏡筒部１１とアナモフィックレンズ１２と別体となっている弾性部材３３を用いることで、発生する応力を容易に設定することができる。これによりアナモレンズ面の変形を最小限に抑えることもできる。
【００７８】
またアナモフィックレンズ１２を鏡筒部１１に固定する際、前述した実施例２と同様に短軸方向の両側（長軸を挟んで両側）に設けた枝部３３ａを用いている。これにより鏡筒部１１とアナモフィックレンズ１２とを精度良く固定することにより応力を安定させている。またこれにより鏡筒部１１とアナモフィックレンズ１２を密着した状態で回転調整を行うことで、レンズ間隔誤差や偏心誤差の発生を防止することができる。
【００７９】
本実施例においても前述の実施例２と同様にレンズユニット１０を画像読取装置に搭載した場合には鮮明なる画像情報を得ることができる。
［フラットベッド型画像読取装置］
図５は本発明の実施例１、２、３の何れかのレンズユニット（結像光学系）をデジタル複写機等のキャリッジ一体型（フラットベッド型）の画像読取装置に適用したときの要部概略図である。
【００８０】
本実施例において照明系３から放射された光束は直接あるいは反射笠（不図示）を介して原稿１を照明している。そして照明された原稿１からの反射光を第１、第２、第３、第４、第５の反射ミラー４ａ，４ｂ，４ｃ，４ｄ，４ｅを介してキャリッジ７内部でその光束の光路を折り曲げている。そして折り曲げられた光束を上述した実施例１、２、３の何れかのレンズユニット５により読取手段としてのＣＣＤ６面上に結像させている。
【００８１】
そしてキャリッジ７を副走査機構８により矢印Ｃ方向（副走査方向）に移動させることにより、原稿１の画像情報を読取っている。そして読取られた画像情報は不図示のインターフェイスを通じて外部機器であるパーソナルコンピューターなどに送られる。
【００８２】
尚、一体型（フラットベッド型）の画像読取装置に限らず、例えば図６に示す１：２走査光学系を有する画像読取装置に適用しても本発明は上述の実施例と同様に適用することができる。
【００８３】
つまり図６において８２は原稿台ガラスであり、その面上に原稿８１が載置されている。８４は照明光源であり、例えばハロゲンランプ、蛍光灯やキセノンランプ等によって成っている。８３は反射笠であり、照明光源８４からの光束を反射させ、効率よく原稿を照明している。８５，８６，８７は各々の順に第１、第２、第３の反射ミラーであり、原稿８１からの光束の光路を本体内部で折り曲げている。５は上述した実施例１〜３の何れかのレンズユニット（結像光学系）であり、原稿８１の画像情報に基づく光束を光電変換素子６面上に結像させている。６は光電変換素子としてのラインセンサー（ＣＣＤ）である。９０は本体、９１は圧板、９２は第１のミラー台、９３は第２のミラー台である。
【００８４】
同図において照明光源８４から放射された光束は直接あるいは反射笠８３を介して原稿８１を照明している。そして照明された原稿８１からの反射光を第１、第２、第３の反射ミラー８５，８６，８７を介して本体９０内部でその光束の光路を折り曲げ、レンズユニット５によりＣＣＤ６面上に結像させている。このとき第１、第２、第３の反射ミラー８５，８６，８７が副走査方向に移動しながら主走査方向を電気的に走査することで原稿８１の画像情報を読み取っている。このとき第２，３の反射ミラー８６，８７は、第１の反射ミラー８５の移動量の半分移動することで原稿８１とＣＣＤ６との距離を一定としている。
【００８５】
尚、本実施例ではデジタルカラー複写機の画像読取装置に本発明の結像光学系を適用したが、これに限らず、例えばカラーイメージスキャナーなどの種々のカラー画像読取装置にも適用することができる。
【図面の簡単な説明】
【００８６】
【図１】本発明の実施例１のレンズユニットの三面図
【図２】本発明のレンズユニットを画像読取装置に装着した際の要部概略図
【図３】本発明の実施例２のレンズユニットの三面図
【図４】本発明の実施例３のレンズユニットの三面図
【図５】本発明のレンズユニットを画像読取装置に適用したときの要部概略図
【図６】本発明のレンズユニットを画像読取装置に適用したときの要部概略図
【図７】従来の画像読取装置の構成を示す要部概略図
【図８】従来の画像読取用レンズの回転調整を説明する要部概略図
【図９】従来のアナモフィック面を用いた画像読取用レンズの回転調整を説明する要部概略図
【図１０】従来のレンズユニットの三面図
【図１１】従来の問題点を示すレンズユニットの三面図
【符号の説明】
【００８７】
１０  レンズユニット
１１  鏡筒部
１２  アナモフィックレンズ
１２ａ  同軸度維持手段（ピン）
１２ｂ  長軸方向維持手段
１３、２３、３３  弾性部材
１３ａ、２３a、３３ａ  枝部
１４  位置合わせ手段
１５  レンズ固定部
１  原稿
２  原稿台ガラス
３  照明系
４ａ，４ｂ，４ｃ，４ｄ，４ｅ  反射ミラー
５  結像光学系
６  光電変換素子
７  キャリッジ
８  副走査機構
【図１】
2008065233.tif 000003
【図２】
2008065233.tif 000004
【図３】
2008065233.tif 000005
【図４】
2008065233.tif 000006
【図５】
2008065233.tif 000007
【図６】
2008065233.tif 000008
【図７】
2008065233.tif 000009
【図８】
2008065233.tif 000010
【図９】
2008065233.tif 000011
【図１０】
2008065233.tif 000012
【図１１】
2008065233.tif 000013